(57)【要約】【課題】印字面に白筋が表れにくい被記録材搬送装置を提供する。【解決手段】搬送駆動ローラに被記録紙Ｐを押しつける複数個ある搬送従動ローラのうち、その一部の搬送従動ローラ２ｂが他の搬送従動ローラ２ａよりも用紙送り方向下流側に配置されている。複数個の搬送従動ローラは、少なくともひとつの定形サイズの被記録紙Ｐに対して略左右等しく圧接するように配置されている。【選択図】　図５
2004034474.tif 000002
【特許請求の範囲】
【請求項１】
用紙を送る搬送駆動ローラと、この搬送駆動ローラの軸線方向に並べられて搬送駆動ローラに被記録材を押しつける搬送従動ローラと、前記搬送駆動ローラにより送られてきた被記録材に印字を行なう記録手段とを備え、
搬送従動ローラが、搬送駆動ローラの直上から被記録材搬送方向下流側に偏寄して配設されたことを特徴とする搬送従動ローラ取付装置。
【請求項２】
搬送駆動ローラの直上から被記録材搬送方向下流側に偏寄して配設された搬送従動ローラは、記録手段ヘッド直近に配設されたことを特徴とする請求項１記載の搬送従動ローラ保持装置。
【請求項３】
搬送従動ローラは、少なくともひとつの定形サイズの被記録材に対して左右等しく圧接するように配置されたことを特徴とする請求項１〜２のいずれか１項に記載の搬送従動ローラ取付装置。
【請求項４】
請求項１〜３のいずれか１項に記載の搬送従動ローラ取付装置を備え、被記録材後端部が搬送従動ローラから外れた後、排紙駆動ローラと排紙従動ローラにより被記録材の搬送を行い、記録手段により記録を継続するようになしたことを特徴とする記録装置。
【請求項５】
請求項１〜４のいずれか１項に記載の搬送従動ローラ取付装置を備えたことを特徴とする記録装置。
【発明の詳細な説明】
【０００１】
【発明の属する技術分野】
本発明は、被記録材を副走査方向に搬送する搬送駆動ローラと、搬送駆動ローラに付勢され、被記録材に接しながら被記録材を搬送駆動ローラに押しつけつつ、被記録材の搬送に従動して回転する搬送従動ローラとを備えた記録装置における搬送従動ローラ取付装置およびインクジェットプリンタ等の記録装置に関する。
【０００２】
【従来の技術】
プリンタ等の画像形成装置においては、被記録材を記録ヘッド方向に搬送するために、搬送駆動ローラと搬送従動ローラを備えている。この搬送駆動ローラと搬送従動ローラを備えた記録装置が、本出願と同一出願人による特開平９−２４００９１号公報によって開示されている。図１は従来の記録装置の要部を示す模式側面図である。これらの図面において、１は搬送駆動ローラであり、図示しない駆動機構により回転駆動される。２は搬送従動ローラであり、複数個設けられており、図示しない付勢手段によって個々に搬送駆動ローラ１に圧接され、被記録材Ｐを搬送駆動ローラ１に対して押しつけるようになっている。被記録材Ｐはこの搬送従動ローラ２の押し付けによって搬送駆動ローラ１に密着し、搬送力を得て搬送される。
【０００３】
【発明が解決しようとする課題】
上述した従来の記録装置では、搬送従動ローラ２が、図１に示すように、搬送駆動ローラ１の軸線Ｘ１と平行な軸線Ｘ２上にそれぞれ一列に並べられていたので、次のような問題があった。
【０００４】
すなわち、図２に示すように、搬送従動ローラ２は、図示しない付勢手段により押圧力Ｆ１で搬送駆動ローラ１に圧接されているため、用紙Ｐの後端部ＰＥが搬送従動ローラ２から外れる際に、押圧力Ｆ１によって被記録材Ｐの後端部ＰＥを被記録材送り方向（矢印Ｙ１方向）にはじき出そうとする。搬送従動ローラ２は、図に示したように、軸線Ｘ２上に複数個すべてが一列に並べられて設けられていたので、これら複数個の搬送従動ローラ２すべてが同時に被記録材Ｐの後端部ＰＥをはじくこととなり、その結果、被記録材Ｐの後端部ＰＥが強くはじき出されてしまう。このため、所望の紙送り量以上に用紙が送られてしまい、紙送り量のピッチがずれてしまうという事態を生じ、印字パターンによっては紙送り量のピッチずれが印字面に白筋となって表れてしまう。搬送従動ローラ２から被記録材Ｐの後端部ＰＥが外れた後は、後述する排紙駆動ローラにより被記録材Ｐを搬送し、後述する記録ヘッドによる印字が行われる構成となっている。被記録材Ｐを搬送駆動ローラ１で搬送する領域Ａと排紙駆動ローラのみで搬送する領域Ｂの境で被記録材Ｐの後端部ＰＥが強くはじき出されてしまうため、白筋により領域Ａと領域Ｂの境界が目立ちやすくなっている。しかも、高品位印字を行なおうとする場合に一般的に用いられるコート紙等は普通紙に比べて厚手であるため、被記録材の後端部が搬送従動ローラ２で大きくはじかれることとなり、白筋が一層目立ちやすかった。上記の問題を解決するために被記録材の後端部が搬送従動ローラ２からはじかれる前に紙送り量を小さくし被記録材後端部が搬送従動ローラ２にはじかれることを抑制していた。しかし、紙送り量を小さくすることにより被記録材後端領域の印字時間が長くなるという問題があった。
【０００５】
本発明の目的は、以上のような問題を解決し、被記録材の後端部が搬送従動ローラ２から外れる際に、所望の紙送り量以上に用紙が送られてしまうことを抑えることができ、印字面に白筋が表れにくい記録装置を提供することにある。
【０００６】
【課題を解決するための手段】
本願請求項１に記載の搬送従動ローラ取付装置は、上記課題を解決するため、被記録材を搬送する搬送駆動ローラ１と、この搬送駆動ローラ１の軸線方向に並べられて搬送駆動ローラ１に被記録材を押しつける搬送従動ローラ２と、前記搬送駆動ローラ１により送られてきた被記録材に記録を行なう記録手段とを備え、搬送従動ローラが、搬送駆動ローラの直上から被記録材搬送方向下流側に偏寄して配設されたものである。
【０００７】
本願請求項２記載の搬送従動ローラ取付装置は、請求項１記載の搬送従動ローラ取付装置において、搬送駆動ローラの直上から被記録材搬送方向下流側に偏寄して配設された搬送従動ローラは、記録手段ヘッド直近に配設されたものである。
【０００８】
本願請求項３記載の搬送従動ローラ取付装置は、請求項１〜２のいずれか１項に記載の搬送従動ローラ取付装置を備え、搬送従動ローラは、少なくともひとつの定形サイズの被記録材に対して左右等しく圧接するように配置されたものである。
【０００９】
本願請求項４に記載の搬送従動ローラ取付装置は、請求項１〜３のいずれか１項に記載の搬送従動ローラ取付装置を備え、被記録材後端部が搬送従動ローラから外れた後、排紙駆動ローラと排紙従動ローラにより被記録材の搬送を行い、記録手段により記録を継続するようになしたものである。
【００１０】
本願請求項５に記載の発明に係る記録装置は、請求項１〜４のいずれか１項に記載の搬送従動ローラ取付装置を備えたものである。
【００１１】
【発明の実施の形態】
以下、本願発明の実施の形態を図面に基づいて説明する。
【００１２】
図３は、本願発明に係るインクジェット式記録装置の一実施の形態を示した概略の平面図であり、図４はその側面図である。記録装置１４には、被記録材Ｐに記録を実行する記録手段として、キャリッジガイド軸９に軸支され、主走査方向Ｘに移動するキャリッジ８が設けられている。キャリッジ８には、被記録材Ｐにインクを吐出して記録を行なう記録ヘッド４が搭載されている。記録ヘッド４と対向して、記録ヘッド４のヘッド面と被記録材Ｐとのギャップを規定するプラテン７が設けられている。そして、キャリッジ８を主走査方向Ｘに搬送し、キャリッジ８とプラテン７の間に被記録材Ｐを副走査方向Ｙに間欠的に搬送しながら、記録ヘッド４が被記録材Ｐにインクを吐出することで被記録材Ｐに記録が行われる。
【００１３】
給紙トレイ１２は、例えば普通紙やフォト紙等の被記録材Ｐを給紙可能な構成となっており、被記録材Ｐを自動給紙するためのＡＳＦ（オート・シート・フィーダ）が設けられている。ＡＳＦは、給紙トレイ１２に設けられた給紙ローラ１１および図示していない分離機構を有する自動給紙機構である。
給紙ローラ１１は、ステッピングモータ等の回転駆動力により回転制御され、側面視Ｄ形の外径形状を有している。この給紙ローラ１１は給紙トレイ１２の一方側に配置されている。記録紙ガイド１３は、被記録材Ｐの幅に合わせて符号Ａに示した矢印の方向に摺動可能に給紙トレイ１２に設けられている。そして、給紙ローラ１１の回転駆動力と、分離機構の摩擦抵抗により給紙トレイ１２に置かれた複数の被記録材Ｐを給紙する際に、複数の被記録材Ｐが一度に給紙されることなく、１枚ずつ正確に自動給紙される。そして、ＡＳＦにより自動給紙された被記録材Ｐは、給紙ローラ１１より副走査方向Ｙの下流側に配設された記録紙搬送手段により、記録実行領域側となる副走査方向Ｙの下流側に向けて、所定の紙送り量で間欠的に搬送される。被記録材Ｐを副走査方向Ｙに間欠的に搬送する記録紙搬送手段として、搬送駆動ローラ１と搬送従動ローラ２が設けられている。搬送駆動ローラ１は、ステッピングモータなどの回転駆動力により回転制御され、搬送駆動ローラ１の回転により、被記録材Ｐは副走査方向Ｙに搬送される。搬送従動ローラ２は、複数設けられており、それぞれ個々に搬送駆動ローラ１に付勢され、被記録材Ｐが搬送駆動ローラ１の回転により搬送される際に、被記録材Ｐに接しながら被記録材Ｐの搬送に従動して回転する。また、給紙ローラ１１と搬送駆動ローラ１との間には、従来技術において公知の技術による紙検出器１０が配設されている。
【００１４】
紙検出器１０は、立位姿勢への自己復帰習性が付与され、かつ記録紙搬送方向にのみ回動し得るよう被記録材Ｐの搬送経路内に突出する状態で枢支されたレバーを有し、このレバーの先端が被記録材Ｐに押されることでレバーが回動し、それによって被記録材Ｐが検出される構成を成す検出器である。紙検出器１０は、給紙ローラ１１より給紙された被記録材Ｐの始端位置、及び終端位置を検出し、その検出位置に合わせて記録領域が決定され、記録が実行される。
【００１５】
一方、記録された被記録材Ｐを排紙する手段として、排紙駆動ローラ５と排紙従動ローラ６が設けられている。排紙駆動ローラ５は、ステッピングモータなどの回転駆動力により回転制御され、排紙駆動ローラ５の回転により、被記録材Ｐは副走査方向Ｙに排紙される。排紙従動ローラ６は、周囲に複数の歯を有し、各歯の先端が被記録材Ｐの記録面に点接触するように鋭角的に尖っている歯付きローラになっている。複数の排紙従動ローラ６は、それぞれ個々に排紙駆動ローラ５に付勢され、被記録材Ｐが排紙駆動ローラ５の回転により排紙される際に、被記録材Ｐに接して被記録材Ｐの排紙に従動して回転する。被記録材Ｐの後端部ＰＥが搬送駆動ローラ１から外れた後は、排紙駆動ローラ５と排紙従動ローラ６により被記録材Ｐを搬送し記録を実行する。
【００１６】
図５は本願発明に係る搬送従動ローラ取付装置の一実施の形態を示した側面図である。
【００１７】
搬送従動ローラ列は、図示しない付勢手段によって搬送駆動ローラ１に圧接された複数個の搬送従動ローラ２ａ、２ｂを有している。これら複数個の搬送従動ローラ２ａ，２ｂは、図に示すように、搬送駆動ローラ１の軸線Ｘ１と平行でかつ用紙送り方向Ｙ１の下流側に部分的に変位した変位部Ｘ１Ｂを有する変位軸線Ｘ１Ａ上に配置されており、搬送従動ローラ２ｂが、搬送従動ローラ２ａに対して用紙送り方向（Ｙ１方向）の下流側にずらして配置された構成となっている。
【００１８】
搬送従動ローラ２ａに対する搬送駆動ローラ２ｂの変位量Ｓは、被記録材Ｐが搬送される過程で、被記録材Ｐの後端部ＰＥが搬送従動ローラ２ａと搬送従動ローラ２ｂとから同時に外れることがないように設定してある。すなわち、図５に示すように、変位量Ｓは、被記録材Ｐの後端部ＰＥが、上流側の搬送従動ローラ２ａから外れる際には、必ず下流側の搬送従動ローラ２ｂで押圧されている状態となるように設定してある。これにより、被記録材Ｐの後端部ＰＥは、まず、搬送従動ローラ２ａから外れ、その後に、下流側にずらして配置された搬送従動ローラ２ｂから外れることとなる。すなわち、搬送従動ローラ列を構成している搬送従動ローラ２のうち、搬送従動ローラ２ｂが、搬送従動ローラ２ａよりも用紙送り方向の下流側にずらして配置されているので、被記録材Ｐの後端部ＰＥは、搬送従動ローラ列から段階的に外れることとなる。したがって、被記録材Ｐの後端部ＰＥは、搬送従動ローラ列を構成しているすべての搬送従動ローラ２ａ，２ｂによって同時に、強い力ではじき出されてしまうということがなくなり、まず、上流側の搬送従動ローラ２ａから比較的弱い力で押し出され、次いで、下流側の搬送従動ローラ２ｂから比較的弱い力で押し出される状態となる。
【００１９】
これにより、所望の紙送り量以上に被記録材Ｐが送られてしまうということが抑制される。したがって、上述した構成によれば、被記録材の後端部ＰＥが搬送従動ローラから外れる前後でのピッチずれが抑制され、印字面に白筋が表れにくくなるという効果が得られる。
【００２０】
図６中符号ＰＡ１で示したものは、搬送駆動ローラにより縦置き状態で送られる葉書サイズの用紙を表しており、また、ＰＡ２は縦置き状態で送られるＡ４サイズの用紙の用紙をそれぞれ表している。搬送従動ローラ２ａ，２ｂは、これらの用紙ＰＡ１，ＰＡ２，に対して略左右等しく圧接するようになっている。
【００２１】
例えば、縦置き状態で配置された葉書サイズの用紙ＰＡ１について説明すると、同図に示したように、この用紙ＰＡ１に対しては、用紙送り方向上流側で２個の搬送従動ローラ２ａが略左右等しく圧接し、下流側で１個の搬送従動ローラ２ｂが略左右等しく圧接する。また、縦置き状態で配置されるＡ４サイズの用紙ＰＡ２に対しては、用紙送り方向上流側で３個の搬送従動ローラ２ａが略左右等しく圧接し、下流側で２個の搬送従動ローラ２ｂが略左右等しく圧接する。
【００２２】
図５において、搬送従動ローラ２ｂは搬送駆動ローラに搬送されてきた被記録材Ｐをインクジェットヘッドの下方へ向けて送り出す送り角を規定するようになっている。また、本実施の形態の搬送従動ローラ取付装置によれば、厚手のフォト紙等を用いた高品位印字を行なう場合にも、被記録材Ｐの後端部が搬送従動ローラから外れる際に、強くはじき出されてしまうということがなくなるので、印字面に白筋が表れにくくなり、品質の高い画像を得ることができる。
【００２３】
さらに、図６に示したように、搬送従動ローラ列の搬送従動ローラ２ａ，２ｂが、縦置き状態で搬送される葉書サイズの用紙ＰＡ１、縦置状態で搬送されるＡ４サイズの用紙ＰＡ２のいずれの用紙に対しても略左右等しく圧接するように配置されているので、少なくともこれらのサイズの用紙の後端部は、上流側の搬送従動ローラ２ａから外れる際にも、下流側の搬送従動ローラ２ｂから外れる際にも、略左右均等に比較的弱い力で押し出されることとなる。したがって、本実施の形態の搬送従動ローラ取付装置によれば、これらの用紙が斜行しにくいという効果が得られる。
【００２４】
また、上記以外のサイズの用紙であっても、その用紙に対して搬送従動ローラが略左右均等に圧接するように搬送従動ローラを配置すれば、その用紙が斜行するのを防止することが可能である。
【００２５】
本願発明は上記実施例に限定されることなく、特許請求の範囲に記載した発明の範囲内で、種々の変形が可能であり、それらも本願発明の範囲内に含まれるものであることは言うまでもない。
【００２６】
【発明の効果】
以上説明したように、本発明に係る搬送従動ローラ取付装置及び記録装置によれば、印字面に白筋が表れにくいという効果が得られる。
【図面の簡単な説明】
【図１】従来技術の要部説明図。
【図２】従来技術の要部拡大図。
【図３】本願発明に係るインクジェット式記録装置の一実施の形態を示した概略の平面図である。
【図４】本願発明に係るインクジェット式記録装置の一実施の形態を示した概略の側面図である。
【図５】本願発明に係る記録装置の要部の基本構成を説明するための側面図。
【図６】搬送従動ローラ列の搬送従動ローラの配列の一例を示した模式平面図。
【図７】本願発明に係るインクジェット式記録装置の一実施の形態を示した斜視図である。
【図８】本願発明に係るインクジェット式記録装置の一実施の形態を示した要部拡大斜視図である。
【符号の説明】
１　　搬送駆動ローラ
２　　搬送従動ローラ
３　　搬送従動ローラホルダ
４　　記録ヘッド
５　　排紙駆動ローラ
６　　排紙従動ローラ
７　　プラテン
８　　キャリッジ
９　　キャリッジガイド軸
１０　紙検出器
１１　給紙ローラ
１２　給紙トレイ
１３　記録紙ガイド
１４　記録装置
【図１】
2004034474.tif 000003
【図２】
2004034474.tif 000004
【図３】
2004034474.tif 000005
【図４】
2004034474.tif 000006
【図５】
2004034474.tif 000007
【図６】
2004034474.tif 000008
【図７】
2004034474.tif 000009
【図８】
2004034474.tif 000010